(57)【特許請求の範囲】
【請求項１】
下地床面から立ち上がるよう形成された立設部と、下地床面上の支持脚に支持されてフリーアクセスフロアの床面を形成するパネル部材との間にできた空間部を前記パネル部材と重なることなく塞ぐように設置されるボーダー部材の素材となるボーダー素材であって、
矩形平板状の水平板素材部と、
前記水平板素材部の互いに対向する２辺のそれぞれから下方に折曲がって連続して形成され、前記下地床面からの前記支持脚の高さとほぼ同じ高さを有し、前記下地床面上に接触して設置される一対の第１鉛直板部と、
前記水平板素材部における前記一対の第１鉛直板部に対応する２辺のそれぞれと互いに水平面上において直角に隣り合う２辺のそれぞれから下方に折曲がって連続して形成され、前記第１鉛直板部の高さよりも小さい高さを有し、前記第１鉛直板部に対して平行方向に所望の幅で切除されて形成される端部が前記支持脚に嵌合する一対の第２鉛直板部とを備え、
前記ボーダー素材における前記第２鉛直板部と平行方向の全体長さが、前記パネル部材の前記第２鉛直板部と平行方向の一辺部の長さに設定され、
前記ボーダー素材における前記第１鉛直板部と平行方向の全体長さが、２枚以上の前記パネル部材の前記第１鉛直板部と平行方向の各一辺部の長さを足し合わせた長さに設定され、
前記水平板素材部の下面に、前記一対の第１鉛直板部が互いに対向する方向に互いに一定間隔ずつ離れて前記第１鉛直板部と平行方向に伸びるように描かれた複数の罫書き線を有し、
前記一対の第１鉛直板部のいずれか一方と、その第１鉛直板部に最も近い罫書き線との間の長さ寸法が、前記立設部に前記第１鉛直板部の厚さ分の隙間を空けて支持脚が配置された場合に、その支持脚に支持される最も前記立設部に近い前記パネル部材と、前記立設部との間に形成される空間を、前記第１鉛直板部に最も近い罫書き線に沿って切断されることにより形成された前記ボーダー部材により塞ぐことができるような長さ寸法に設定された
ことを特徴とするボーダー素材。
【請求項２】
前記第１鉛直板部に板厚方向に貫通する切欠き部が形成されていることを特徴とする請求項１に記載のボーダー素材。
【請求項３】
部屋の壁等のように下地床面から立ち上がるよう形成された立設部と、下地床面上の支持脚に支持されてフリーアクセスフロアの床面を形成するパネル部材との間にできた空間部を前記パネル部材と重なることなく塞ぐように設置されるボーダー部材の設置方法であって、
矩形平板状の水平板素材部と、この水平板素材部の互いに対向する２辺のそれぞれから下方に折曲がって連続して形成され、前記下地床面からの前記支持脚の高さとほぼ同じ高さを有する一対の第１鉛直板部と、前記水平板素材部における前記一対の第１鉛直板部に対応する２辺のそれぞれと互いに水平面上において直角に隣り合う２辺のそれぞれから下方に折曲がって連続して形成され、前記第１鉛直板部の高さよりも小さい高さを有する一対の第２鉛直板部とを備え、
前記第２鉛直板部と平行方向の全体長さが、前記パネル部材の前記第２鉛直板部と平行方向の一辺部の長さに設定され、
前記第１鉛直板部と平行方向の全体長さが、２枚以上の前記パネル部材の前記第１鉛直板部と平行方向の各一辺部の長さを足し合わせた長さに設定され、
前記水平板素材部の下面に、前記一対の第１鉛直板部が互いに対向する方向に互いに一定間隔ずつ離れて前記第１鉛直板部と平行方向に伸びるように描かれた複数の罫書き線を有し、
前記一対の第１鉛直板部のいずれか一方と、その第１鉛直板部に最も近い罫書き線との間の長さ寸法が、前記立設部に前記第１鉛直板部の厚さ分の隙間を空けて支持脚が配置された場合に、その支持脚に支持される最も前記立設部に近い前記パネル部材と、前記立設部との間に形成される空間を、前記第１鉛直板部に最も近い罫書き線に沿って切断されることにより形成された前記ボーダー部材により塞ぐことができるような長さ寸法に設定されたボーダー素材を用意し、
前記ボーダー素材の、前記水平板素材部における前記一対の第１鉛直板部が互いに対向する方向の中央部分を前記第１鉛直板部に対して平行方向に所望の幅で切除することにより２個のフリーアクセスフロア用ボーダー部材に分割し、
前記２個のボーダー部材のそれぞれを前記空間部に配置して、
前記ボーダー部材の前記第１鉛直板部を前記下地床面上に接触して設置すると共に、前記ボーダー部材の前記第２鉛直板部の切除により形成された端部を前記支持脚に嵌合する  ことを特徴とするフリーアクセスフロア用ボーダー部材の設置方法。
【発明の詳細な説明】
【技術分野】
【０００１】
本発明は、クリーンルームやオフィスルーム等の部屋の床部に設けられるフリーアクセスフロアに関し、特にそのパネル部材と部屋の壁等との間にできた空間部に設置されるボーダー部材の素材となるボーダー素材、及びこのボーダー素材から形成されるボーダー部材の設置方法に関するものである。
【背景技術】
【０００２】
図１２及び図１３は、従来のフリーアクセスフロア２及びそのボーダー部材６を示す平面図及び側面断面図である。ボーダー部材６は、図１３に示すように、フリーアクセスフロア２が設けられる部屋の下地床面１０上であって、支持脚８により支持された標準パネル３（パネル部材）と、部屋の下地床面１０から立ち上がるよう形成された立設部である壁４との間の空間部を塞ぐように設置されている。
【０００３】
ボーダー部材６は、上記のような場所だけでなく、標準パネル３の上面と水平方向に略連続する床面を壁等の立設部まで延長するために、図示しない様々な場所に設置される。
【０００４】
すなわち、ボーダー部材６は、定形部材、すなわち同一寸法の同一形状に形成されている複数の標準パネル３を並べて配置することができない、壁４に水平方向に沿って形成される、又は部屋内の壁４から離れた（或は壁４と一体となっている）、図示しない柱や他の立設部に水平方向に沿って形成される、立設部と標準パネル３との間がその標準パネル３の一辺部の長さ寸法より小さな寸法の空間部を塞ぐと共に、標準パネル３の上面と水平方向に略連続する床面をその立設部まで延長するために設置されるものである。
【０００５】
以下の説明においては、壁４に水平方向に沿って形成される空間部や、図示しない柱等の立設部に水平方向に沿って形成される空間部において、ボーダー部材６のような、標準パネル３以外の部材を配置することにより、標準パネル３の上面と水平方向に略連続する床面が形成される空間部を、ボーダー部Ｂと呼ぶこととする（図１２，１３参照）。
【０００６】
ボーダー部材６は金属製で、厚さ（図１３中、寸法ｔ）を有し、下地床面１０と略平行方向の長さと幅を有する（矩形の）水平板部２６と、この水平板部２６の、壁４に水平方向に沿って伸びる辺部から、下地床面１０側に垂直方向（鉛直方向）に折れ曲がって連続して形成された、鉛直板部２８とを備えて構成されている。
【０００７】
またボーダー部材６は、その水平板部２６がボーダー部Ｂの下地床面１０の上方を覆い、かつ、この水平板部２６における壁４と反対側の辺部側の板状部２６ａが、最も壁４寄りの位置に配置された標準パネル３の上面上に載置されると共に、鉛直板部２８の先端部（図中下端部）が下地床面１０上に当接するように設置される。
【０００８】
このようなボーダー部材６を設置することにより、ボーダー部Ｂには、標準パネル３の上面と下地床面１０との間の高さを有する大きな段差（支持脚８の高さに標準パネル３の厚さを加えた寸法の段差）が生じないようにして、部屋のフリーアクセスフロア２の床面が標準パネル３の上面と水平方向に略連続して壁４迄延長して形成されるようになっていた。
【０００９】
フリーアクセスフロア２の、標準パネル３を支持する支持脚８の最上端部には支持面１８が形成されている。そして、以下の説明においては、ボーダー部材６の水平板部２６の壁４と反対側の板状部２６ａの下に重なって配置される、最も壁４寄りの標準パネル３の、壁４側の隅部を支持するのに用いられる支持脚８を、特にボーダー部側支持脚８Ａと呼ぶこととする（図１２，１３参照）。
【００１０】
図１４は、図１２，１３における支持脚８だけを取り出して示すその平面図である。同図に示すように、支持脚８は、その支持面１８に開口するよう形成されて、標準パネル３の後述するような折曲った側板部２４と嵌合可能な４本の溝部２０を有している。
【００１１】
この支持脚８の４本の溝部２０は、これら４本の中の２本が、支持面１８の水平一方向に伸びるよう互いに平行に一定間隔ｐを挟んで並んで配置され、この２本の溝部２０と直角な水平方向に交差するように、他の２本の溝部２０が互いに平行に一定間隔ｐを挟んで並んで配置されている。
【００１２】
これら４本の溝部２０のそれぞれは、互いに平行に並んで配置される２本の組合せ同士が、互いの長さ方向のほぼ中央部において交差している。一組の溝部２０の長さ方向において、この長さ方向と直角方向に交差する他の組の２本の溝部２０との交差位置から、前記一組の２本の溝部２０の長さ方向における、支持脚８の外周面までの短い方の長さ寸法を、図１０においてはＬで表すこととする。
【００１３】
また、図１５は、図１２，１３における標準パネル３を取り出して示すその平面図である。標準パネル３は、定形部材、すなわち同一寸法の同一形状に形成されている部材であって、同図に示すように、平面形状が略正方形の天板部２２と、天板部２２の四辺のそれぞれに、下地床面１０側（図１３中下側）に一定高さを有するよう折曲げて形成された側板部２４とを有している。
【００１４】
図１２に示すように、標準パネル３は、水平面において縦横二方向のそれぞれに並んで配置される。そして、支持脚８は、ボーダー部材６の板状部２６ａの下に配置される標準パネル３の、ボーダー部Ｂ側の隅部を支持するのに用いられるボーダー部側支持脚８Ａを除いて、４枚の標準パネル３の各隅部が一ヶ所に集まる位置に配置され、この４枚の標準パネル３の各隅部を下側から支持するようになっている。
【００１５】
このようなフリーアクセスフロア２の、各支持脚８が４枚の標準パネル３の各隅部を支持するときの支持構造は、各標準パネル３における天板部２２の各隅部の下面が、図１４に示す支持脚８の支持面１８上に載置されると共に、各標準パネル３の天板部２２における四辺のそれぞれと平行方向に伸びる、図１５に示す各側板部２４の両端部のそれぞれが、対応する支持脚８の図１４に示す溝部２０の寸法Ｌの長さ範囲に嵌合する構造になっている。
【００１６】
このような従来のフリーアクセスフロアのボーダー部材は、まだ公開公報が発行されていないので、特許文献として掲げることはできないが、特願２００６−３３８４６５に係る出願発明の従来例として、その従来例を記載する欄に記載されているものである。
【発明の開示】
【発明が解決しようとする課題】
【００１７】
しかしながら、上述したような従来のボーダー部材６は、この従来のボーダー部材６を設置するボーダー部Ｂの幅が、標準パネル３の一辺の長さの範囲内で、フリーアクセスフロア２を設置する部屋ごとに異なることに対応して、最大で標準パネル３の一辺部の長さとほぼ同じ寸法の幅を有するように形成されていた。
【００１８】
このため、このボーダー部材６の水平板部２６とフリーアクセスフロア２の標準パネル３の上面との重なる面積が大きくなると、その重なる部分だけ水平板部２６の材料が無駄になるという問題があった。
【００１９】
そこで本発明は、上記問題点に鑑みて、材料に無駄が生じないように一体の素材から２つのボーダー部材を形成することができるボーダー素材、及びフリーアクセスフロア用ボーダー部材の設置方法を提供することを課題とするものである。
【課題を解決するための手段】
【００２０】
上記課題を解決するために、本発明によるボーダー素材は、
下地床面から立ち上がるよう形成された立設部と、下地床面上の支持脚に支持されてフリーアクセスフロアの床面を形成するパネル部材との間にできた空間部を前記パネル部材と重なることなく塞ぐように設置されるボーダー部材の素材となるボーダー素材であって、
矩形平板状の水平板素材部と、
前記水平板素材部の互いに対向する２辺のそれぞれから下方に折曲がって連続して形成され、前記下地床面からの前記支持脚の高さとほぼ同じ高さを有し、前記下地床面上に接触して設置される一対の第１鉛直板部と、
前記水平板素材部における前記一対の第１鉛直板部に対応する２辺のそれぞれと互いに水平面上において直角に隣り合う２辺のそれぞれから下方に折曲がって連続して形成され、前記第１鉛直板部の高さよりも小さい高さを有し、前記第１鉛直板部に対して平行方向に所望の幅で切除されて形成される端部が前記支持脚に嵌合する一対の第２鉛直板部とを備え、
前記ボーダー素材における前記第２鉛直板部と平行方向の全体長さが、前記パネル部材の前記第２鉛直板部と平行方向の一辺部の長さに設定され、
前記ボーダー素材における前記第１鉛直板部と平行方向の全体長さが、２枚以上の前記パネル部材の前記第１鉛直板部と平行方向の各一辺部の長さを足し合わせた長さに設定され、
前記水平板素材部の下面に、前記一対の第１鉛直板部が互いに対向する方向に互いに一定間隔ずつ離れて前記第１鉛直板部と平行方向に伸びるように描かれた複数の罫書き線を有し、
前記一対の第１鉛直板部のいずれか一方と、その第１鉛直板部に最も近い罫書き線との間の長さ寸法が、前記立設部に前記第１鉛直板部の厚さ分の隙間を空けて支持脚が配置された場合に、その支持脚に支持される最も前記立設部に近い前記パネル部材と、前記立設部との間に形成される空間を、前記第１鉛直板部に最も近い罫書き線に沿って切断されることにより形成された前記ボーダー部材により塞ぐことができるような長さ寸法に設定されたことを特徴とするものである。
【００２３】
また、本発明によるボーダー素材において、
前記第１鉛直板部に板厚方向に貫通する切欠き部が形成されていることを特徴とするものである。
【００２４】
また、上記課題を解決するために、本発明によるフリーアクセスフロア用ボーダー部材の設置方法は、
部屋の壁等のように下地床面から立ち上がるよう形成された立設部と、下地床面上の支持脚に支持されてフリーアクセスフロアの床面を形成するパネル部材との間にできた空間部を前記パネル部材と重なることなく塞ぐように設置されるボーダー部材の設置方法であって、
矩形平板状の水平板素材部と、この水平板素材部の互いに対向する２辺のそれぞれから下方に折曲がって連続して形成され、前記下地床面からの前記支持脚の高さとほぼ同じ高さを有する一対の第１鉛直板部と、前記水平板素材部における前記一対の第１鉛直板部に対応する２辺のそれぞれと互いに水平面上において直角に隣り合う２辺のそれぞれから下方に折曲がって連続して形成され、前記第１鉛直板部の高さよりも小さい高さを有する一対の第２鉛直板部とを備え、
前記第２鉛直板部と平行方向の全体長さが、前記パネル部材の前記第２鉛直板部と平行方向の一辺部の長さに設定され、
前記第１鉛直板部と平行方向の全体長さが、２枚以上の前記パネル部材の前記第１鉛直板部と平行方向の各一辺部の長さを足し合わせた長さに設定され、
前記水平板素材部の下面に、前記一対の第１鉛直板部が互いに対向する方向に互いに一定間隔ずつ離れて前記第１鉛直板部と平行方向に伸びるように描かれた複数の罫書き線を有し、
前記一対の第１鉛直板部のいずれか一方と、その第１鉛直板部に最も近い罫書き線との間の長さ寸法が、前記立設部に前記第１鉛直板部の厚さ分の隙間を空けて支持脚が配置された場合に、その支持脚に支持される最も前記立設部に近い前記パネル部材と、前記立設部との間に形成される空間を、前記第１鉛直板部に最も近い罫書き線に沿って切断されることにより形成された前記ボーダー部材により塞ぐことができるような長さ寸法に設定されたボーダー素材を用意し、
前記ボーダー素材の、前記水平板素材部における前記一対の第１鉛直板部が互いに対向する方向の中央部分を前記第１鉛直板部に対して平行方向に所望の幅で切除することにより２個のフリーアクセスフロア用ボーダー部材に分割し、
前記２個のボーダー部材のそれぞれを前記空間部に配置して、
前記ボーダー部材の前記第１鉛直板部を前記下地床面上に接触して設置すると共に、前記ボーダー部材の前記第２鉛直板部の切除により形成された端部を前記支持脚に嵌合することを特徴とするものである。
【発明の効果】
【００２５】
このような本発明に係るボーダー素材によれば、
部屋の壁等のように下地床面から立ち上がるよう形成された立設部と、下地床面上の支持脚に支持されてフリーアクセスフロアの床面を形成するパネル部材との間にできた空間部に設置されるボーダー部材の素材となるボーダー素材であって、
矩形平板状の水平板素材部と、
前記水平板素材部の互いに対向する２辺のそれぞれから下方に折曲がって連続して形成され、前記下地床面からの前記支持脚の高さとほぼ同じ高さを有する一対の第１鉛直板部とを備えたことにより、
一体のボーダー素材から２つのボーダー部材を形成できるので、ボーダー部材の材料に無駄が生じないようにすることができる。
【００２６】
また、本発明のボーダー素材によれば、
前記水平板素材部における前記一対の第１鉛直板部のそれぞれに対応する２辺のそれぞれと互いに水平面上において直角に隣り合う２辺のそれぞれから下方に折曲がって連続して形成され、前記第１鉛直板部の高さよりも小さい高さを有する一対の第２鉛直板部を備えたことにより、
当該ボーダー素材から形成したボーダー部材について、その設置後に、設置した位置から水平方向にずれないようにすることができる。
【００２７】
また、本発明のボーダー素材によれば、
前記水平板素材部の下面に、前記一対の第１鉛直板部が互いに対向する方向に互いに一定間隔ずつ離れて前記第１鉛直板部と平行方向に伸びるように描かれた複数の罫書き線を有することにより、
当該ボーダー素材からボーダー部材を形成する際の作業を簡単化することができる。
【００２８】
また、本発明のボーダー素材によれば、
前記第１鉛直板部に板厚方向に貫通する切欠き部が形成されていることにより、
上記ボーダー素材から形成したボーダー部材を設置する部屋の壁から配線が出ている場合でも、その配線を切欠き部内に通して前記下地床面上に延ばすことができる。
【００２９】
また、本発明に係るフリーアクセスフロア用ボーダー部材の設置方法によれば、
部屋の壁等のように下地床面から立ち上がるよう形成された立設部と、下地床面上の支持脚に支持されてフリーアクセスフロアの床面を形成するパネル部材との間にできた空間部に設置されるボーダー部材の設置方法であって、
矩形平板状の水平板素材部と、この水平板素材部の互いに対向する２辺のそれぞれから下方に折曲がって連続して形成され、前記下地床面からの前記支持脚の高さとほぼ同じ高さを有する一対の第１鉛直板部とを備えたボーダー素材を用意し、
前記ボーダー素材の、前記水平板素材部における前記一対の第１鉛直板部が互いに対向する方向の中央部分を前記第１鉛直板部と平行方向に所望の幅で切除することにより２個のフリーアクセスフロア用ボーダー部材に分割し、
２個のフリーアクセスフロア用ボーダー部材のそれぞれを前記空間部に設置することにより、
一体のボーダー素材から２つのボーダー部材を形成できるので、ボーダー部材の材料に無駄が生じないようにすることができる。
【発明を実施するための最良の形態】
【００３０】
以下、本発明に係るボーダー素材及びフリーアクセスフロア用ボーダー部材の設置方法を実施するための最良の形態について、図面に基づいて具体的に説明する。
図１から図７は、本発明の一実施の形態に係る、ボーダー素材３０、及びフリーアクセスフロア用ボーダー部材３２ａ，３２ｂ（以下、ボーダー部材３２ａ，３２ｂと呼ぶ）の設置方法について説明するために参照する図である。従来と同様の部分には同じ符号を用いて説明し、従来と同様の構成についての重複する説明は省略するものとする。
【００３１】
本実施の形態に係るボーダー素材３０は、図１から図３に示すように、１枚の矩形平板状の水平板素材部３４、一対の第１鉛直板部３８、及び一対の第２鉛直板素材部４０を備えて構成されている。このボーダー素材３０は、後述するように、フリーアクセスフロア３１（図４，５，７参照）の一部として設置されるボーダー部材３２ａ，３２ｂの素材、或いは、フリーアクセスフロア３１（図８，９，１１参照）の一部として設置されるボーダー部材３２ｃ，３２ｄの素材となるものである。
【００３２】
ボーダー素材３０の一対の第１鉛直板部３８のそれぞれは、水平板素材部３４の長い方の互いに対向する２辺のそれぞれから下方に垂直に折曲がって連続して形成されている。この一対の第１鉛直板部３８のそれぞれは、図４に示すフリーアクセスフロア３１の支持脚８（従来例と同様のボーダー部側支持脚８Ａも含む）の高さ、すなわち、下地床面１０から標準パネル部材３（パネル部材）の下面までの高さ（図４中、高さ寸法Ｈ１）と同じ高さを有するように形成されている。また、図１に示すように、この第１鉛直板部３８には、その長さ方向に２つの切欠き部５０が形成されている。
【００３３】
また、ボーダー素材３０の一対の第２鉛直板素材部４０のそれぞれは、図１から図３に示すように、水平板素材部３４の四辺のうちの、第１鉛直板部３８に対応する２辺のそれぞれと互いに水平面において直角に隣り合う２辺のそれぞれから、下方に垂直に折れ曲がって形成されたものである。この一対の第２鉛直板素材部４０のそれぞれは、その高さ寸法が、図４に示す支持脚８の溝部２０の深さ寸法よりも僅かに小さく形成されている。
【００３４】
また、図２に示すように、ボーダー素材３０は、その水平板素材部３４の下面（上面の裏面）に、一対の第１鉛直板部３８同士が互いに対向する方向（図２中の上下方向）に一定間隔ずつ離れて、互いに第１鉛直板部３８と平行方向に延びるような複数の罫書き線４４が描かれ、或は刻まれている。
【００３５】
また、水平板素材部３４の下面には、このような罫書き線４４のうちの何本かについて、この何本かの罫書き線４４のそれぞれが、一対の第１鉛直板部３８のうちの基準側のもの（図２中、下側の第１鉛直板部３８）の、外側（内側でもよい）の面からどれだけ離れているのかを示す寸法値が、対応する罫書き線の延長上に書かれ、或いは、刻印されている。
【００３６】
特に、基準側の第１鉛直板部３８から最も離れて描かれた罫書き線４４については、「追出し用」との文言がその延長線上に書かれ、或いは、刻印されている。この「追出し用」との文言が書かれた罫書き線４４は、一対の第１鉛直板部３８のうちの基準側の第１鉛直板部３８とは反対側の第１鉛直板部３８の外側の面から所定の長さ（寸法Ｗ３）だけ離れていることにより、後述する定形のボーダー部材３２ｃ（追出し用金物）を形成する際に利用されるものである。
【００３７】
まず、ボーダー部材の第１の設置方法にについて説明する。本実施の形態に係るボーダー素材３０は、図４，５，７に示すフリーアクセスフロア３１の設置現場に持ち込まれ、作業者による以下の作業により、２個のボーダー部材３２ａ，３２ｂに分割して形成される。
【００３８】
フリーアクセスフロア３１の設置作業を行なう作業者は、図５に示すように、その複数の標準パネル部材３の設置作業を終了した後に、このフリーアクセスフロア３１が設置される部屋の互いに対向する壁４ａ，４ｂのそれぞれと、これらの壁４ａ，４ｂのそれぞれに最も近付けて配置された標準パネル部材３のそれぞれとの間のボーダー部Ｂ１，Ｂ２の幅を測定する。
【００３９】
次に、作業者は、図６に示すように、ボーダー素材３０の水平板素材部３４及び一対の第２鉛直板素材部４０のそれぞれにおける、一対の第１鉛直板部３８同士が互いに対向する方向の中央部分（図６中、Ｃで示す寸法範囲）を、第１鉛直板部３８の長さ方向（図中紙面に垂直方向）に切断することにより除去して、第１鉛直板部３８を１枚ずつ含む２個のボーダー部材３２ａ，３２ｂが分割して形成される。
【００４０】
このときに、図６におけるボーダー素材３０の、水平板素材部３４及び一対の第２鉛直板素材部４０の長さ方向（図２中の横方向）の中央部分（同６図中、Ｃで示す寸法範囲）の両端より外側部分のＷ１，Ｗ２で示す寸法範囲のそれぞれは、図５に示すボーダー部Ｂ１，Ｂ２のそれぞれの寸法よりも若干短い長さとなるように設定する。
【００４１】
したがって、作業者は、図６に示すように、ボーダー素材３０における横方向の全体長さＸから、その長さ両端の第１鉛直板部３８のそれぞれを含むように形成される寸法Ｗ１，Ｗ２で示す寸法範囲の部分を残して、ボーダー素材３０における図６中横方向の長さ中央部分（Ｃで示す寸法範囲）を切除するようになっている。
【００４２】
これにより、ボーダー素材３０の水平板素材部３４及び一対の第２鉛直板素材部４０のそれぞれにおける、上記Ｗ１で示す寸法範囲に含まれる部分は、図５及び図７に示すボーダー部材３２ａの第１鉛直板部３８、水平板部３６ａ、及び一対の第２鉛直板部４２ａを有するよう構成し、図６中のＷ２で示す寸法範囲に含まれる部分は、図５に示すボーダー部材３２ｂの第１鉛直板部３８、水平板部３６ｂ、及び一対の第２鉛直板部４２ｂを有するよう構成されるようになっている。
【００４３】
このように形成されたボーダー部材３２ａ，３２ｂのうちの一方のボーダー部材３２ａは、図４及び図７に示すように、ボーダー部Ｂ１に設置することにより、その水平板部３６ａの下面が、ボーダー部側支持脚８Ａの上端面１８に接触して支持されるようになっている。
【００４４】
また、ボーダー部材３２ａは、図４に示すように、その一対の第２鉛直板部４２ａのそれぞれが、ボーダー部側支持脚８Ａの上端面１８における、壁４ａと平行な２本の溝部２０のうちのボーダー部側の溝部２０（ボーダー部側溝部２０ａ）と直交する溝部２０の、壁４ａ側の半分位の長さ範囲に嵌合するようになっている。
【００４５】
また、図５に示すように、ボーダー部材３２ｂは、上記ボーダー部材３２ａをボーダー部Ｂ１に設置したときの構造と同様の構造を構成して、ボーダー部Ｂ２に設置される。
【００４６】
次に、ボーダー部材の第２の設置方法にについて説明する。本実施の形態に係るボーダー素材３０は、上記したフリーアクセスフロア３１とは異なる別の、図８，９，１１に示すフリーアクセスフロア６１の設置現場に持ち込まれ、作業者による以下の作業により、２個のボーダー部材３２ｃ，３２ｄに分割して形成される。
【００４７】
フリーアクセスフロア６１の設置作業は、このフリーアクセスフロア６１が設置される部屋の一方の壁４ｃ側から、この壁４ｃと互いに対向する他方の壁４ｄ側に向かって進められていく。すなわち、作業者は、図８及び図９に示すように、このフリーアクセスフロア６１が設置される部屋の壁４ｃの壁際からその設置作業を開始し、図１１に示す壁４ｄ側に向かって順に標準パネル部材３を設置していく。
【００４８】
このとき、壁４ｃと、この壁４ｃに最も近付けて配置される標準パネル部材３の間には、この標準パネル部材３の壁４ｃ側の隅部を支持するボーダー部側支持脚８Ａが、標準パネル部材３よりも壁４ｃ側に水平方向にはみ出していることにより、標準パネル部材３の側辺を壁４ｃに突き当てるように配置することができないので、必然的にボーダー部Ｂ３が形成される。このボーダー部Ｂ３には、ボーダー部材３２ｃを設置するようにする。
【００４９】
ここで、ボーダー部Ｂ３の幅は、図８に示すように、ボーダー部材３２ｃを設置することができるようにするため、壁４ｃとボーダー部側支持脚８Ａとの間に、ボーダー部材３２ｃの第１鉛直板部３８の厚さ分の隙間が形成されることとなるように設定しておく。これにより、このボーダー部Ｂ３の幅は、このような壁４ｃとボーダー部側支持脚８Ａとの間の隙間の寸法と、ボーダー部側支持脚８Ａにおける標準パネル部材３よりも壁４ｃ側にはみ出す範囲の長さ寸法とを足し合わせた、一定長さの寸法Ｂ３として定まるようになる。
【００５０】
また、ボーダー部材３２ｃは、図１０に示すように、ボーダー素材３０の一対の第１鉛直板部３８のうちの一方のものを含むＷ３で示す寸法範囲の部分が、このボーダー素材３０におけるＷ３で示す寸法範囲以外の他の部分から切断によって切り離されることにより形成される。
【００５１】
このボーダー部材３２ｃのＷ３で示す寸法は、図８に示すように、上述したような一定長さのボーダー部Ｂ３の幅に基づいて定まるものであり、ボーダー部Ｂ３の幅よりも若干小さい一定寸法に設定されるものである。
【００５２】
そして、ボーダー素材３０は、図２に示すように、その水平板素材部３４の下面における「追出し用」との表記に対応する罫書き線４４と、前記基準側のものとは反対側（「追出し用」との表記に近い側）の第１鉛直板部３８との間の長さが、このボーダー部材３２ｃのＷ３の長さと同じ長さとなるように設定されている。
【００５３】
したがって、図８に示すように、ボーダー部材３２ｃは、フリーアクセスフロア６１を設置する部屋ごとに、そのボーダー部Ｂ３の幅の長さを測定するようなことをしなくても、図２に示すボーダー素材３２を、その水平板素材部３４の下面における「追出し用」との表記に対応する罫書き線４４に沿って切断することにより、定形部材として形成することができるようになっている。
【００５４】
このボーダー部材３２ｃは、特に、別称として追出し用金物と呼ぶことがあるものとし、このような別称の追出し用金物は、実質的にはボーダー部材３２ｃと同一であることから、ボーダー部材３２ｃの符号と同一符号の３２ｃを付して、追出し用金物３２ｃと表わすことがあるものとする。
【００５５】
図１１に示すように、このフリーアクセスフロア６１が設置される部屋の壁４ｃの壁際から壁４ｄ側に向かって順に、追出し用金物３２ｃ及び標準パネル部材３を設置していくと、壁４ｄの壁際には、この壁４ｄと、壁４ｄに最も近付けて配置された標準パネル部材３との間にボーダー部Ｂ４が形成される。
【００５６】
このボーダー部Ｂ４には、上記した図５に示すフリーアクセスフロア３１のボーダー部Ｂ２にボーダー部材３２ｂを設置した手順とほぼ同様の手順により、図１０に示すボーダー素材３０から形成したボーダー部材３２ｄが設置される。
【００５７】
すなわち、ボーダー部材３２ｄは、図１０に示すように、ボーダー素材３０における既に切取った追出し用金物３２ｃ以外の部分（図１０中、横方向の全体長さＸからＷ３の寸法範囲を差し引いた範囲の部分）から、図１１に示すボーダー部Ｂ４の幅よりも若干短い長さのＷ４の寸法範囲を切り取ることにより形成される。ボーダー部材３２ｄは、このように形成された後に、図１１に示すように、ボーダー部Ｂ４に設置される。
【００５８】
このような本実施の形態に係るボーダー素材及びフリーアクセスフロア用ボーダー部材の設置方法によれば、一体のボーダー素材３０から２つのボーダー部材３２ａ，３２ｂ（又は３２ｃ，３２ｄ）を形成することができるのでボーダー部材の材料に無駄が生じないようにすることができる。
【００５９】
すなわち、前記ボーダー部材の第１の設置方法によれば、図６に示すように、１つのボーダー素材３０から２つのボーダー部材３２ａ，３２ｂを形成する場合は、ボーダー素材３０から形成するボーダー部材３２ａ，３２ｂのそれぞれの幅のＷ１とＷ２の両方を確保するのに、ボーダー素材３０における幅方向の全体長さＸを、標準パネル３の一辺部の長さ程度に設定しておけば良いので、それ以上大きなボーダー素材３０を必要としないようにすることができる。
【００６０】
ここで、上述したように、図６のボーダー素材３０における幅方向（図２における上下方向）の全体長さＸを、標準パネル３の一辺部の長さ程度に設定することにより、ボーダー部材３２ａ，３２ｂのそれぞれの幅の長さＷ１とＷ２の両方を十分に確保することができるようになるのは、以下のような理由からである。
【００６１】
すなわち、図５に示すように、フリーアクセスフロア３１の設置の際に、ボーダー部Ｂ１とＢ２のそれぞれの幅を足し合わせた長さを標準パネル３の一辺部の長さよりも短く設定することができるからである。これは、ボーダー部Ｂ１とＢ２のそれぞれの幅を足し合わせた長さが標準パネル３の一辺部の長さよりも長くなる場合は、まだ標準パネル３をもう１個置けることを意味するからである。
【００６２】
また、前記ボーダー部材の第２の設置方法によれば、図１０に示すように、１つのボーダー素材３０から２つのボーダー部材３２ｃ，３２ｄを形成するようにしているので、上記したような２つのボーダー部材３２ａ，３２ｂを形成する場合の理由と同じ理由により、ボーダー素材３０から形成するボーダー部材３２ｃ，３２ｄのそれぞれの幅のＷ３とＷ４の両方を確保するのに、ボーダー素材３０における幅方向の全体長さＸを、標準パネル３の一辺部の長さ程度に設定しておけば良いので、それ以上大きなボーダー素材３０を必要としないようにすることができる。
【００６３】
また、本実施の形態に係るボーダー素材及びフリーアクセスフロア用ボーダー部材の設置方法によれば、ボーダー素材３０から切断、分割して形成したボーダー部材３２ａ，３２ｂ（又は３２ｃ，３２ｄ）のそれぞれは、その一対の第２鉛直板部４２ａ，４２ｂ（又は４２ｃ，４２ｄ）が、ボーダー部側支持脚８Ａにおけるボーダー部側溝部２０ａと直交する溝部２０に嵌合するようになるので、ボーダー部Ｂ１，Ｂ２（又はＢ３，Ｂ４）に設置された後において、設置した位置からはその長さ方向（図７又は図９中、上下方向）にずれないようにすることができる。
【００６４】
また、ボーダー部材３２ａ，３２ｂ（又は３２ｃ，３２ｄ）のそれぞれの、水平板部３６ａ，３６ｂ（又は３６ｃ，３６ｄ）のそれぞれが、標準パネル３の天板部２２と全く重ならないことにより、フリーアクセスフロア２の床面となる標準パネル３の上面とボーダー部材３２ａ，３２ｂ（又は３２ｃ，３２ｄ）のそれぞれの上面との間には段差が形成されることはないので、標準パネル３の上面と同一平面状に連続する床面を壁４ａ，４ｂ（又は４ｃ，４ｄ）まで延長することができる。
【００６５】
このため、従来のように、標準パネル３の上面と水平板部２６の上面との間にできる段差の上に整理棚や書庫等が載置された場合に、地震時等において整理棚や書庫等が傾むいて倒れたりするような危険な事態が生じることを防止することができる。
【００６６】
また、本実施の形態に係るボーダー素材及びフリーアクセスフロア用ボーダー部材の設置方法によれば、上述したようにボーダー部材３２ａ，３２ｂ（又は３２ｃ，３２ｄ）と標準パネル３との間の水平方向の相対位置がずれるのを防止できると共に、ボーダー部材３２ａ，３２ｂ（又は３２ｃ，３２ｄ）の上面と標準パネル３上面との間に段差が形成されることを防止できることにより、フリーアクセスフロア３１（又は６１）の商品価値を向上させることができる。
【００６７】
また、本実施の形態に係るボーダー素材及びフリーアクセスフロア用ボーダー部材の設置方法によれば、ボーダー素材３０の水平板素材部３４の下面に罫書き線４４が描かれていることにより、水平板素材部３４及び一対の第２鉛直板素材部４０の切断作業を簡単化することができるので、ボーダー素材３０からボーダー部材３２ａ，３２ｂ（又は３２ｃ，３２ｄ）を形成する際の現場での作業を簡単化することができる。
【００６８】
また、本実施の形態に係るボーダー素材及びフリーアクセスフロア用ボーダー部材の設置方法によれば、図１に示すように一対の第１鉛直板部３８それぞれの長さ方向（図中横方向）に２つの切欠き部５０が形成されているので、図４，５，１１に示すように、ボーダー部材３２ａ，３２ｂ（又は３２ｃ，３２ｄ）を設置する部屋の壁４ａ，４ｂ（又は４ｃ，４ｄ）の両方又はいずれかから配線５５が出ている場合でも、その配線５５を切欠き部５０に貫通させて下地床面１０上に通すことができる。
【００６９】
なお、本実施の形態においては、ボーダー素材３０及びこのボーダー素材３０から形成されるボーダー部材３２ａ，３２ｂ（又は３２ｃ，３２ｄ）の長さ（図７又は図９中上下方向の長さ）が、最も壁４寄りの互いに隣り合う２枚の標準パネル３の各一辺部の長さを足し合わせた長さ（各標準パネル３の各一辺部それぞれの寸法の略２倍の長さ）に設定されている場合について説明したが、このような場合に限定する必要は無く、ボーダー素材３０及びこのボーダー素材３０から形成されるボーダー部材３２ａ，３２ｂ（又は３２ｃ，３２ｄ）は、１枚の標準パネル３の一辺部の長さ、或は、３枚以上の標準パネル３それぞれの略一辺部の長さを足し合わせた長さを有するようになっていてもよい。
【００７０】
また、本実施の形態に係るボーダー素材３０においては、その両端部に一対の第２鉛直板素材部４０が設けられていたが、この一対の第２鉛直板素材部４０は、必ずしも設けないようにしてもよい。
【００７１】
また、本実施の形態に係るボーダー素材３０においては、図１に示すように、第１鉛直板部３８の長さ方向に２つの切欠き部５０が形成された場合について説明したが、この切欠き部５０は第１鉛直板部３８の長さ方向に１つ又は３つ以上形成されるようになっていてもよい。或いは、切欠き部５０を形成しないようになっていてもよい。
【００７２】
また、本実施の形態に係るボーダー素材３０においては、図２に示すように、その水平板素材部３４の下面に多数の罫書き線４４が描かれていたが、２，３本の罫書き線４４が描かれているだけでもよく、或は罫書き線４４が描かれないようになっていてもよい。
【００７３】
また、本実施の形態においては、図７に示すように、フリーアクセスフロア３１の床部を構成する標準パネル３は、その平面形状が正方形であるものだけが用いられていたが、長方形のものだけを組み合わせて、或は長方形と正方形のものを組み合わせて、組み合わせたもの全体が正方形となるように、又は正方形とならないように用いられてもよい。
【００７４】
また、本実施の形態においては、図４，５，７に示すフリーアクセスフロア３１を設置する際に、１個のボーダー素材３０から、図５中のボーダー部Ｂ１、Ｂ２に設置するボーダー部材３２ａ，３２ｂを１個ずつ形成する場合について説明したが、１個のボーダー素材３０から２個のボーダー部材３２ａを形成するようにしてもよく、或いは、２個のボーダー部材３２ｂを形成するようにしてもよい。
【００７５】
また、本実施の形態においては、図８，９，１１に示すフリーアクセスフロア６１を設置する際に、１個のボーダー素材３０から、図１１中のボーダー部Ｂ３、Ｂ４に設置するボーダー部材３２ｃ，３２ｄを１個ずつ形成する場合について説明したが、１個のボーダー素材３０から２個のボーダー部材３２ｃを形成するようにしてもよく、或いは、２個のボーダー部材３２ｄを形成するようにしてもよい。
【図面の簡単な説明】
【００７６】
【図１】本発明の一実施の形態に係るボーダー素材３０を示す正面図である。
【図２】図１におけるボーダー素材３０のＡ矢視図である。
【図３】図１におけるボーダー素材３０のＢ矢視図である。
【図４】ボーダー部材３２ａ、及びフリーアクセスフロア３１、並びにこれらを設置する部屋の一部を示す側面断面図である。
【図５】ボーダー部材３２ａ，３２ｂ、及びフリーアクセスフロア３１、並びにこれらを設置する部屋の一部を示す側面断面図である。
【図６】本発明の一実施の形態に係るボーダー素材３０を示す図３に対応する図である。
【図７】ボーダー部材３２ａ、及びフリーアクセスフロア３１、並びにこれらを設置する部屋の一部を示す平面図である。
【図８】ボーダー部材３２ｃ、及びフリーアクセスフロア６１、並びにこれらを設置する部屋の一部を示す側面断面図である。
【図９】ボーダー部材３２ｃ、及びフリーアクセスフロア６１、並びにこれらを設置する部屋の一部を示す平面図である。
【図１０】本発明の一実施の形態に係るボーダー素材３０を示す図３に対応する図である。
【図１１】ボーダー部材３２ｃ，３２ｄ、及びフリーアクセスフロア６１、並びにこれらを設置する部屋の一部を示す側面断面図である。
【図１２】従来のボーダー部材６及びフリーアクセスフロア２を示す平面図である。
【図１３】従来のボーダー部材６及びフリーアクセスフロア２を示す側面断面図である。
【図１４】図１２中の標準支持脚８だけを取り出して示すその平面図である。
【図１５】図１２中の標準パネル３だけを取り出して示すその平面図である。
【符号の説明】
【００７７】
２  フリーアクセスフロア
３  標準パネル
４，４ａ，４ｂ  壁
６  ボーダー部材
８  標準支持脚
８Ａ  ボーダー部材側支持脚
１０  下地床面
１８  上端面
２０  溝部
２０ａ  ボーダー部材側溝部
２２  天板部
２４  側板部
２６  水平板部
２６ａ  端部
２８  鉛直板部
３０  ボーダー素材
３１  フリーアクセスフロア
３２ａ，３２ｂ，３２ｃ，３２ｄ  フリーアクセスフロア用ボーダー部材
３４  水平板素材部
３６ａ，３６ｂ，３６ｃ，３６ｄ  水平板部
３８  第１鉛直板部
４０  第２鉛直板素材部
４２ａ，４２ｂ，４２ｃ，４２ｄ  第２鉛直板部
４４  罫書き線
５０  切欠部
５５  配線
６１  フリーアクセスフロア
【図１】
0005519914.tif 000002
【図２】
0005519914.tif 000003
【図３】
0005519914.tif 000004
【図４】
0005519914.tif 000005
【図５】
0005519914.tif 000006
【図６】
0005519914.tif 000007
【図７】
0005519914.tif 000008
【図８】
0005519914.tif 000009
【図９】
0005519914.tif 000010
【図１０】
0005519914.tif 000011
【図１１】
0005519914.tif 000012
【図１２】
0005519914.tif 000013
【図１３】
0005519914.tif 000014
【図１４】
0005519914.tif 000015
【図１５】
0005519914.tif 000016